(57)【要約】  本発明は、細長い要素(1)の長さに応じて互い違いに配置される複数の電子チップ(2a、2b、2c、2d)を備える細長い要素(1)に係合することが可能な処理デバイス(100)に関する。前記処理デバイス(100)は、ハウジング(101)を備え、ハウジング(101)は、細長い要素(1)のための取り入れ開口(102)と、細長い要素(1)のための引き出し開口(103)と、取り入れ開口(102)と引き出し開口(103)との間に配置され電子チップのための処理プローブ(105)を備える処理凹部(104)とを含む。加えて、処理デバイスは、凹部(104)内に設けられた処理すべき一つの電子チップを複数の電子チップのうち凹部(104)の外側に配置された他の電子チップから絶縁するように構成された絶縁システム(106)を含む。【選択図】図４
2018524742.tif 000002
【特許請求の範囲】
【請求項１】
細長い要素(1)の長さに沿って互い違いに配置された複数の電子チップ(2a、2b、2c、2d)を備える該細長い要素(1)と協働することが可能な処理デバイス(100)であって、前記処理デバイス(100)は、ハウジング(101)を備え、前記ハウジング(101)は、
-  前記細長い要素(1)のための入力オリフィス(102)と、
-  前記細長い要素(1)のための出力オリフィス(103)と、
-  前記入力オリフィス(102)と前記出力オリフィス(103)との間に配置され電子チップのための処理プローブ(105)が設けられた処理空洞(104)とを備え、
前記処理デバイスは、前記空洞(104)内にある処理すべき電子チップを前記複数の電子チップのうち前記空洞(104)の外側に配置された他の電子チップから絶縁するように構成された絶縁システム(106)を備え、前記絶縁システム(106)は、前記空洞(104)内に配置された処理すべきチップの両側で前記細長い要素(1)に物理的に接触するように構成された短絡要素(106c、106d)を備える、デバイス。
【請求項２】
前記処理プローブ(105)は、無線タグのチップを形成する前記処理すべき電子チップと相互作用するように構成された無線周波数アンテナを備えることを特徴とする、請求項1に記載のデバイス。
【請求項３】
前記アンテナは、
-  ダイポールアンテナ(105)と、
-  単一のスロット(105a)を有するアンテナ(105)であって、前記細長い要素が前記入力オリフィス(102)および前記出力オリフィス(103)を通過するときに、前記単一のスロット(105a)が、前記ハウジング(101)の前記空洞内に存在する前記細長い要素の一部に沿って延びる、アンテナ(105)と、
-  二重のスロット(105a、105b)を有するアンテナ(105)であって、前記細長い要素が前記入力オリフィス(102)および前記出力オリフィス(103)を通過するときに、第1のスロット(105)が、前記ハウジング(101)の前記空洞内に存在する前記細長い要素(1)の一部に沿って延び、第2のスロット(105b)が、前記第1のスロット(105a)に対して実質上直角をなし、前記第1のスロット(105a)および前記第2のスロット(105b)が、一つの同じ平面内に含まれて前記第1のスロットおよび前記第2のスロットの交差点に共通の部分を備える、アンテナ(105)と、
-  ループアンテナ(105)との中から選択されることを特徴とする、請求項2に記載のデバイス。
【請求項４】
前記絶縁システム(106)は、前記入力オリフィス(102)に配置された第1のフェライト(106a)と、前記出力オリフィス(103)に配置された第2のフェライト(106b)とを備えることを特徴とする、請求項1から請求項3のいずれか一項に記載のデバイス。
【請求項５】
請求項1から4のいずれか一項に記載の処理デバイス(100)と、
細長い要素(1)の長さに沿って互い違いに配置される複数の電子チップ(2a、2b、2c、2d)を備える細長い要素(1)と、
前記細長い要素(1)が前記入力オリフィス(102)および前記出力オリフィス(103)を通って前記処理デバイス(101)の前記ハウジング(101)を通過するように前記細長い要素(1)を駆動するシステム(1001)と、を備える装置(1000)であって、
前記細長い要素(1)の処理すべき電子チップ(2e)が前記ハウジング(101)の前記空洞(104)内にあり、前記処理すべき電子チップ(2e)に隣接する二つの電子チップ(2f、2g)が前記ハウジング(101)の外側に配置される処理構成を備える装置。
【請求項６】
前記処理構成において、前記処理すべき電子チップ(2e)に隣接する前記二つの電子チップ(2f、2g)は、前記細長い要素(1)の連結要素(3a、3b)によって前記処理すべきチップ(2e)に電気的に連結され、前記絶縁システム(106)は、前記処理すべき電子チップ(2e)に連結された前記連結要素(3a、3b)に沿って伝播される前記処理プローブ(105)からの電磁波に作用するように構成されることを特徴とする、請求項5に記載の装置。
【請求項７】
前記処理構成において、前記連結要素(3a、3b)はそれぞれ、フェライト(106a、106b)を通過することを特徴とする、請求項6に記載の装置。
【請求項８】
前記連結要素(3a、3b)は、前記絶縁システム(106)の短絡要素に物理的に接触することを特徴とする、請求項6または7に記載の装置。
【請求項９】
請求項1から4のいずれか一項に記載のデバイスを使用する方法であって、
-  細長い要素(1)の長さに沿って互い違いに配置される複数の電子チップ(2a、2b、2c、2d)を備える細長い要素(1)を提供するステップと、
-  前記空洞(104)内に配置された一つの電子チップ(2e)に隣接する他の二つの電子チップ(2f、2g)が前記ハウジング(101)の外側に配置されるように、前記複数の電子チップのうちの一つのチップ(2e)を前記処理デバイス(101)の前記空洞(104)内に配置するステップと、
-  結果として前記処理プローブ(105)が前記空洞(104)内に配置された前記電子チップ(2e)と相互作用するように、前記空洞(104)内に配置された前記電子チップ(2e)を処理するために前記処理プローブ(105)を起動するステップとを含み、
前記配置するステップ中に前記空洞(104)内に配置された前記電子チップ(2e)および前記ハウジング(101)の外側に配置された前記二つの隣接する電子チップ(2f、2g)は、無線タグの電子チップであり、
前記空洞(104)内に配置された前記電子チップ(2e)は、第1の電気連結要素(3a)によって前記隣接する電子チップの一方(2f)に電気的に連結され、第2の電気連結要素(3b)によって前記隣接する電子チップの他方(2g)に電気的に連結され、
前記第1の電気連結要素(3a)および前記第2の電気連結要素(3b)は、前記空洞(104)内に配置された前記電子チップ(2e)のアンテナを形成し、
前記方法は、前記絶縁システム(106)を前記第1の電気連結要素(3a)および前記第2の電気連結要素(3b)と相互作用させ、前記処理プローブの前記起動後に前記第1の電気連結要素(3a)および前記第2の電気連結要素(3b)に沿って伝播される電磁波をフィルタリングまたは短絡して、前記電磁波による前記二つの隣接する電子チップへの電力供給を回避することを可能にするステップを含むことを特徴とする方法。
【発明の詳細な説明】
【技術分野】
【０００１】
本発明は、電子チップの処理の分野に関し、特に、たとえばワイアに組み込まれた無線タグの試験の分野に関する。
【０００２】
本発明の主題は、より詳細には、複数の電子チップを備える細長い要素のための処理デバイスであり、これらの複数の電子チップは、前記細長い要素の長さに沿って互い違いに配置される。
【背景技術】
【０００３】
電子機器の分野、より詳細には無線タグの分野では、通信用電子チップを製作し、次いでこれらの正しい動作を保証するためにこれらの電子チップを個々に試験することが一般的な慣行である。特にこれらの試験により、無線タグの品質に関して分類しながら、これらの初期化のためにこれらの無線タグに書き込むことが可能になる。
【０００４】
特に、米国特許出願公開第2008/0100329号および国際公開第2013/144451号の文献には、開放空洞を使用し、この空洞内にアンテナが配置されることが記載されている。無線タグは、この空洞を通過するとき、空洞の底部内に配置された試験システムのアンテナと協働する。
【０００５】
その結果、高速で試験する際には問題が生じる。実際に、この場合、無線タグは互いに比較的近接しており、したがって特に空洞内に配置されたアンテナによる無線タグの試験では、隣接する無線タグを妨害するおそれがある。これに関して、米国特許出願公開第2008/0100329号の文献では、試験されていない無線タグを接地することが提案されている。この解決策は、アンテナの範囲内のすべての無線タグの接地を提供する必要があるため、実施するのが複雑である。
【０００６】
それに関する限り、国際公開第2013/144451号の文献では、外部の影響を最小限にすることを可能にする容量結合器を使用することが提案されている。これに関して、影響を簡単に最小限にすることを提案するこの解決策には、改善が必要である。
【発明の概要】
【発明が解決しようとする課題】
【０００７】
本発明の目的は、上述した欠点を修正する解決策を提案することである。
【課題を解決するための手段】
【０００８】
この目的は、細長い要素の長さに沿って互い違いに配置された複数の電子チップを備える細長い要素と協働することが可能な処理デバイスの目標であり、この処理デバイスは、ハウジングを備え、このハウジングは、
-  細長い要素のための入力オリフィスと、
-  細長い要素のための出力オリフィスと、
-  入力オリフィスと出力オリフィスとの間に配置され電子チップのための処理プローブが設けれた処理空洞とを備え、
処理デバイスは、空洞内に存在する処理すべき電子チップを複数の電子チップのうち空洞の外側に配置された他の電子チップから絶縁するように構成された絶縁システムを備える。
【０００９】
特に、処理プローブは、無線タグのチップを形成する処理すべき電子チップと相互作用するように構成された無線周波数アンテナを備える。
【００１０】
有利には、このアンテナは、
-  ダイポールアンテナと、
-  単一のスロットを有するアンテナであって、細長い要素が入力オリフィスおよび出力オリフィスを通過するときに、前記単一のスロットがハウジングの空洞内に存在する細長い要素の一部に沿って延びる、アンテナと、
-  二重のスロットを有するアンテナであって、細長い要素が入力オリフィスおよび出力オリフィスを通過するときに、第1のスロットが、ハウジングの空洞内に存在する細長い要素の一部に沿って延び、第2のスロットが、第1のスロットに対して実質上直角をなし、前記第1および第2のスロットが、一つの同じ平面内に含まれて前記第1および第2のスロットの交差点に共通の部分を備える、アンテナと、
-  ループアンテナと、の中から選択される。
【００１１】
一実施形態によれば、絶縁システムは、入力オリフィスに配置された第1のフェライトと、出力オリフィスに配置された第2のフェライトとを備える。
【００１２】
別法として、またはこれらのフェライトと組み合わせて、絶縁システムは、空洞内に配置された処理すべきチップの両側で細長い要素に物理的に接触するように構成された短絡要素を備えることができる。
【００１３】
本発明はまた、上述した処理デバイスと、細長い要素の長さに沿って互い違いに配置される複数の電子チップを備える細長い要素と、細長い要素が入力および出力オリフィスを通って処理デバイスのハウジングを通過するように細長い要素を駆動するシステムとを備える装置に関し、この装置は、細長い要素の処理すべき電子チップがハウジングの空洞内に存在し、処理すべき電子チップに隣接する二つの電子チップがハウジングの外側に配置される処理構成を備える。
【００１４】
特に、この処理構成において、処理すべき電子チップに隣接する二つの電子チップは、細長い要素の連結要素によって処理すべきチップに電気的に連結されており、絶縁システムは、前記処理すべき電子チップに連結された前記連結要素に沿って伝播される処理プローブからの電磁波に作用するように構成される。
【００１５】
特に、この処理構成において、前記連結要素はそれぞれ、フェライトを通過する。
【００１６】
連結要素は、絶縁システムの短絡要素に物理的に接触することができる。
【００１７】
本発明はまた、上述したデバイスを使用する方法に関し、この方法は、
-  細長い要素の長さに沿って互い違いに配置される複数の電子チップを備える細長い要素を提供するステップと、
-  空洞内に配置された一つの電子チップに隣接する他の二つの電子チップが、ハウジングの外側に配置されるように、複数の電子チップのうちの一つのチップを処理デバイスの空洞内に配置するステップであって、、配置するステップと、
-  結果として処理プローブが空洞内に配置された電子チップと相互作用するように、空洞内に配置された前記電子チップを処理するために処理プローブを起動するステップとを含む。
【００１８】
選択的に、配置ステップ中に空洞内に配置された電子チップおよびハウジングの外側に配置された二つの隣接する電子チップは、無線タグの電子チップであり、空洞内に配置された電子チップは、第1の電気連結要素によって隣接する電子チップの一方に電気的に連結され、第2の電気連結要素によって隣接する電子チップの他方に電気的に連結され、第1および第2の電気連結要素は、空洞内に配置された電子チップのアンテナを形成し、この方法は、絶縁システムを第1および第2の電気連結要素と相互作用させ、処理プローブの起動後に第1および第2の電気連結要素に沿って伝播される電磁波をフィルタリングまたは短絡して、前記電磁波による前記二つの隣接する電子チップへの電力供給を回避することを可能にするステップを含む。
【００１９】
他の利点および特徴は、非限定的な例として与えられ、添付の図面に示されている本発明の特定の実施形態の以下の説明から、より明らかになる。
【図面の簡単な説明】
【００２０】
【図１】第1のタイプの細長い要素を示す図である。
【図２】第2のタイプの細長い要素を示す図である。
【図３】図1のタイプの細長い要素内に電子チップを組み込むことをより詳細に示す図である。
【図４】本発明の特定の実装形態による処理デバイスの斜視図である。
【図５】絶縁システムがフェライトに基づいている一実施形態における図4のハウジングの横断面図である。
【図６】絶縁システムが短絡要素に基づいている変形形態における図4のタイプのハウジングの横断面図である。
【図７】処理プローブがダイポールアンテナを備える特定の実施形態を示す図である。
【図８】処理プローブが単一スロットアンテナである特定の実施形態を示す図である。
【図９】処理プローブが二重スロットアンテナである特定の実施形態を示す図である。
【図１０】本発明の特定の実装形態による処理デバイスを備える装置の特定の例を示す図である。
【図１１】処理ハウジングを使用しない無線タグ処理プローブに対する後方散乱電力を伝送電力の関数として示す図である。
【図１２】処理ハウジングを使用する無線タグ処理プローブに対する後方散乱電力を伝送電力の関数として示す図である。
【図１３】処理プローブがループアンテナであるさらに別の特定の実施形態を示す図である。
【図１４】装置が二つの処理デバイスを備える図10の変形形態を示す図である。
【発明を実施するための形態】
【００２１】
本発明は、特に、たとえば例示的な無線タグチップ内の処理プローブによって放出される電磁波の閉じ込めに作用することによって電子チップを個々に絶縁および処理/試験することを可能にするハウジングの使用を提案するという点で、従来技術とは異なる。
【００２２】
本発明は、無線タグの処理、特にその試験の分野に優先的に適用可能であるが、処理デバイスによって処理すべきチップは、発光ダイオードまたは光起電セルなどの別のタイプのものとすることもできる。
【００２３】
本説明では、図1および図2に示すように、細長い要素1は、前記細長い要素1の長さLに沿って互い違いに配置された複数の電子チップ2a、2b、2c、2dを備える。細長い要素1の連結要素3は、電子チップ2a、2b、2c、2dを二つずつ機械的に連結することを可能にする。
【００２４】
典型的には、複数の電子チップ2a、2b、2c、2dのうち細長い要素1の長手方向の両端に位置する二つの電子チップ2a、2dを除いて、各電子チップ2b、2cは、それぞれ先行電子チップおよび後続電子チップと呼ばれる二つの他の隣接する電子チップによって挟まれている。たとえば、挟まれている電子チップ2bは、第1の連結要素によって先行電子チップ2aに連結され、第2の連結要素によって後続電子チップ2cに連結される。
【００２５】
したがって、本説明では、「別の電子チップに隣接する電子チップ」とは、中間の電子チップが介在することなく別の電子チップのすぐそばに位置する電子チップを意味すると理解されたい。
【００２６】
本説明では、チップまたは処理すべきチップは、電子チップである。
【００２７】
図1の例では、電子チップ2a、2b、2c、2dは、3対の隣接する電子チップ(2a、2b)(2b、2c)(2c、2d)を形成し、隣接する電子チップの各対の電子チップは、それらに付随する単一の連結要素によって連結されている。
【００２８】
図2の例では、電子チップ2a、2b、2c、2dは、3対の隣接する電子チップ(2a、2b)(2b、2c)(2c、2d)を形成し、隣接する電子チップの各対の電子チップは、それらに付随する二つの連結要素3によって連結されている。
【００２９】
図2の例では、二つのワイア間で電子チップを保持することができ、これらのワイアの一部は、連結要素によって形成される。
【００３０】
特に、図2の細長い要素1は、図1による細長い要素1を得ることを可能にする中間生成物とすることができる。この場合、二つのワイアのいくつかの部分を適当に切断することが可能であることが理解されよう。
【００３１】
これらの連結要素により、細長い要素が電子チップの花づな(フェストーン：festoon)を形成するように電子チップを互いに機械的に連結することが可能になる。
【００３２】
特定の実装形態によれば、連結要素3は、全面的または部分的に導電性であり、複数の電子チップのうちの各電子チップ2a、2b、2c、2dは、特に細長い要素の長さに沿って前記電子チップの両側に延びる少なくとも二つの連結要素に電気的に接続されて、無線タグを形成する。言い換えれば、複数の電子チップのうちの各電子チップは、無線タグのチップとすることができ、無線タグのアンテナは、少なくとも二つの導電性連結要素によって形成される。「導電性連結要素」とは、連結要素が、絶縁体によって覆われているか否かにかかわらず、導電性コアを備えることができることを意味すると理解されたい。したがって、細長い要素1の電子チップ間の機械的連結に加えて、連結要素により、電子チップを互いに電気的に連結することも可能になる。
【００３３】
無線タグ、すなわちRFID(無線周波数識別)タグは、概して、データを遠隔で記録または読み取りするために使用される。たとえば、無線タグにより、物体を識別し、またはさらには無線タグに付随する物体を携帯する人間を識別することが可能になる。本説明の意味範囲内で、リーダは、無線タグ情報の書き込みおよび/または読み取りを可能にする。
【００３４】
特に、細長い要素の無線タグは、UHF(超高周波数)タイプのものであり、すなわち860MHzから960MHzの帯域幅を有する。
【００３５】
電子チップが無線タグチップである例では、これらの電子チップは、数センチメートル、典型的には8cmから16cm隔置することができる。この間隔距離は、無線タグの4分の1または2分の1波長に比例する。
【００３６】
図3は、細長い要素1内に電子チップを組み込む一例を示し、この例は、細長い要素1の異なる実施形態にも適用することができる。ここでは、電子チップ2a、2bは、付随する連結要素を長手方向に埋め込むための少なくとも一つの溝4が設けられた支持体を備える。図3は、各電子チップが、少なくとも二つの埋め込み溝4を備え、各埋め込み溝4内に、対応する連結要素3が埋め込まれることを示す。このとき各電子チップが二つの対応する長手方向の埋め込み溝内に二本のワイアを埋め込むので、この原理は、図2による細長い要素を形成するために使用することもできる。
【００３７】
図4から6は、前述した細長い要素と協働することが可能な処理デバイス100を示す。この処理デバイス100は、ハウジング101を備え、ハウジング101は、細長い要素1のための入力オリフィス102と、細長い要素1のための出力オリフィス103とを備える。このとき、ハウジング100は、矢印F1が示す方向に通るように細長い要素1をハウジング100内に受け入れるように構成されることが理解されよう。
【００３８】
さらに、処理デバイスは、入力オリフィス102と出力オリフィス103との間に配置された処理空洞104を備え、処理空洞104は、電子チップのための処理プローブ105を備える。言い換えれば、処理プローブ105は、空洞104内に配置される。入力オリフィス102は、細長い要素1の電子チップが空洞に入ることを可能にし、出力オリフィス103は、空洞104内における処理後に前記チップを取り出すことを可能にする。言い換えれば、入力オリフィス102および出力オリフィス103は、ハウジング101の空洞104をハウジング101の外側に接続する。このとき、空洞104は、ハウジング101の内部に位置し、空洞104の内部とハウジング101の外側との接続を可能にする入力および出力オリフィスにもかかわらず、空洞104は、閉鎖された空洞であることが理解されよう。
【００３９】
最終的に、処理デバイス100、選択的に処理デバイス100のハウジング101は、空洞104内に存在する処理すべき電子チップを複数の電子チップのうち空洞104の外側に配置された他の電子チップから絶縁するように構成された絶縁システム106を備える。
【００４０】
より詳細には、絶縁システム106は、処理プローブ105がハウジング101の外側に位置する電子チップまたはハウジング101の外側の環境との相互作用が可能になるのを回避することを可能にする。
【００４１】
一例によれば、電子チップは、発光ダイオードまたは光起電セルであり、ハウジングを絶縁システムと組み合わせることで、前記電子チップを個々に最善に処理(特に試験)することが可能になり、ハウジングの外側の環境は、適当な場合、処理済みの電子チップまたは処理プローブに影響しない。
【００４２】
前述した好ましい実施形態によれば、複数の電子チップのチップは、無線タグチップである。これに関して、処理プローブ105は、無線タグのチップを形成する処理すべき電子チップ(すなわち、ハウジングの空洞内に存在する電子チップ)と相互作用するように構成された無線周波数アンテナを備える。この場合、ハウジング101は、処理プローブ105のアンテナによって生成される電磁波をハウジング101内に閉じ込めるように形成することができ、それによってこれらの電磁波がハウジング101の外側に位置する細長い要素1のチップに到達し、それらの電気的起動/電力供給を誘発することを回避することができる。
【００４３】
細長い要素の電子チップが無線タグチップを形成するとき、処理プローブ105は、特に無線タグリーダに連結される。無線タグの処理、試験、ならびに/または書き込みおよび/もしくは読み取りのためのそのようなリーダは、当業者にはよく知られており、ここでは説明しない。
【００４４】
絶縁システム106はまた、処理プローブ105からハウジング101の外への電磁波の伝播の回避または制限に関与することができる。これは特に、ハウジング101が、複数の無線タグを備える細長い要素1を処理するために使用され、各無線タグが、対応する電子チップと、アンテナとによって形成され、アンテナが細長い要素の二つの隣接する電子チップを電気的に連結する連結要素から形成されるとき、当てはまる。ここでは、処理すべきチップが空洞内に存在するとき、処理プローブ105はまた、電磁波結合によって、連結要素と相互作用し、このとき、電磁波が入力オリフィス102および出力オリフィス103を介してハウジング101の外へ伝播するおそれがあることが理解されよう。絶縁システム106の存在により、連結要素からのこの伝播を停止(または制限)することが可能になる。
【００４５】
この点で、絶縁システム106は、入力オリフィス102に配置された第1のフェライト106aと、出力オリフィス103に配置された第2のフェライト106bとを備えることができる(図4および図5)。このとき、これらのフェライト106a、106bは、ハウジング101内に電磁波を閉じ込め、電磁波がハウジング101の外側に位置する電子チップに到達することを防止することを可能にする。「入力オリフィスに」とは、図5に見ることができるように、第1のフェライト106aを空洞104の外側に配置することができるが、別法として、第1のフェライト106aを空洞104の内側に配置することもできることを意味すると理解されたい。「出力オリフィスに」とは、図5に見ることができるように、第2のフェライト106bを空洞104の外側に配置することができるが、別法として、第2のフェライト106bを空洞104の内側に配置することもできることを意味すると理解されたい。たとえば、フェライト106a、106bは、処理プローブ105の起動後に連結要素内を伝播する電磁波に対する減衰フィルタを形成して、連結要素内を伝播する電磁波のレベルを、ハウジング101の外側の無線タグを起動することが不可能なレベルまで下げる。特に、第1のフェライト106aおよび第2のフェライト106bはそれぞれ、開口を備えており、細長い要素を通過させる。したがって、フェライト106a、106bの開口は、入力オリフィス102および出力オリフィス103それぞれの拡張範囲内に位置する。フェライトに基づく絶縁システム106を使用する利点は、絶縁システム106がそのフィルタ機能を実行するために細長い要素1に接触する必要がなく、その結果、処理速度を増大させることができることである。当業者であれば、無線タグの特徴および処理プローブの伝送電力の知識に基づいて、適当なフェライトを選択することが可能であろう。実際に、フェライトを形成する材料は、透磁率(μで示す)が1より大きいことを特徴とする。これらの材料は、磁場を集束させ、多くの場合、電源ケーブル上で伝導される電流の減衰またはエネルギーの結合(変圧器)のために使用される。本発明の特定の実施形態の適用例に適した特定の例によれば、フェライトは、インピーダンスを周波数の関数として提示する製造者データに基づいて選択され、ここでは、1GHzで約1000オームの抵抗を有するフェライトが選択的に選ばれる。
【００４６】
フェライト106a、106bに基づく絶縁システム106は特に、図1のタイプの細長い要素に最も適しており、ハウジング101を通るときに細長い要素1に接触することなく絶縁を可能にする。
【００４７】
有利には、フェライトとフェストーンとの間の距離は小さく、好ましくは5mm以下である。さらに、フェライトがフェストーンに沿って相当な長さにわたって、好ましくは10mm以上の長さにわたって延びることも有利である。
【００４８】
図6は、絶縁システム106の別の実装形態を示す。ここでは、絶縁システム106は、処理プローブ105によって放出されて空洞104内で連結要素に結合される電磁波を閉じ込めるために、処理すべき電子チップの両側に連結要素の短絡を作り出すことを可能にする。言い換えれば、絶縁システム106は、空洞104内に配置された処理すべきチップの両側で細長い要素1に物理的に接触するように構成された短絡要素106c、106dを備えることができる。これらの短絡要素は、ハウジング101の入力および出力オリフィスに配置することができる。一例によれば、短絡要素106c、106dは、入力オリフィスおよび出力オリフィス内に形成された接続端子を備え、その場合、処理すべきチップが空洞104内に存在するとき、または細長い要素1がハウジング101を通っている際、細長い要素1は、前記接続端子に対して押し付けられることができる。一実施形態によれば、短絡要素は、処理すべきチップがハウジングの空洞内に配置されているとき、処理すべきチップの両側で細長い要素に接触する二つの案内ローラによって実施することができ、特にこれらのローラは、細長い要素1が空洞を通過するときに細長い要素1を案内することができる。さらに別の実施形態によれば、短絡要素は、処理すべきチップが空洞内に配置されているとき、処理すべきチップの両側で細長い要素に接触するように、ハウジングの入力および出力オリフィスそれぞれに配置された帯電防止タイプのブラシによって実施することができる。
【００４９】
図6の実施形態は特に、図2の細長い要素1に最も適しているが、図1の実施形態でも機能する。実際には、図2による細長い要素1に関連して、電磁場は、互いに対向して配置された平行な二つの連結要素間に閉じ込められており、これはフェライトでは不適切であることを意味する。このとき、短絡により、現在処理されている電子チップに隣接しているハウジング1の外側に配置された電子チップへ電磁波が伝播するのを防止することによって、電磁波の伝播を制御することが可能になる。
【００５０】
一実装形態によれば、処理プローブ105が、二つの導電性連結要素3a、3bだけに電気的に連結されたチップ2を有する無線タグと協働することが意図されるとき、処理プローブ105は、図7に示すように、簡単なダイポール(ダイポールアンテナ)の形のアンテナを備えることができる。この場合、アンテナによって生成される電磁波Oは、知られている形で無線タグへ伝播される。
【００５１】
無線タグが図2による細長い要素内に組み込まれているとき、処理プローブ105は、有利には、電子チップ2を処理しなければならないとき、細長い要素1に対して平行なスロット105aを備えるアンテナ(図8)を備える。これにより、処理すべき無線タグのチップ2の両側に連結された2対の平行な連結要素3a、3bにアンテナ105を接続することが可能になる。
【００５２】
別法として、図9に示すように、処理プローブ105を図1の細長い要素1と図2の細長い要素1との両方に適合させることを可能にするために、前記処理プローブ105は、実質上直角をなす二重のスロット105a、105bを有するアンテナを備えることができ、スロットの一方は、細長い要素がハウジング101を通るとき、細長い要素に対して実質上平行であり(図2のタイプの細長い要素1と整合)、スロットの他方は、細長い要素がハウジング101を通るとき、細長い要素に対して実質上直角をなす(図1のタイプの細長い要素に整合)。この場合、二つのスロット105a、105bは、それらの交差点に共通の部分を有し、それらの交差点で二つのスロットにリーダを連結することができる。
【００５３】
言い換えれば、処理プローブのアンテナは、
-  ダイポールアンテナ105と、
-  単一のスロット105aを有するアンテナ105であって、細長い要素1が入力オリフィス102および出力オリフィス103を通過するときに、前記単一のスロットが、ハウジング101の空洞104内に存在する細長い要素1の一部に沿って延びる、アンテナ105と、
-  二重のスロット105a、105bを有するアンテナ105であって、細長い要素1が入力オリフィス102および出力オリフィス103を通過するときに、第1のスロット105aが、ハウジング101の空洞104内に存在する細長い要素1の一部に沿って延び、第2のスロット105bが、第1のスロット105aに対して実質上直角をなし、前記第1のスロット105aおよび第2のスロット105bが、一つの同じ平面内に含まれてそれらの交差点に共通の部分を備え、それらの交差点で前記スロットにリーダを連結することができる、アンテナ105と、
-  図7と同じ参照符号を使用する図13に示すループアンテナ105との中から選択することができる。
【００５４】
処理デバイスの使用に応じて、処理プローブのアンテナのこのリストに追加することができる。
【００５５】
本発明はまた、図10に見ることができる装置1000に関し、装置1000は、上述した処理デバイス100と、複数の電子チップ2を備える細長い要素1とを備え、複数の電子チップ2は、前記細長い要素1の長さに沿って互い違いに配置される。この装置は、細長い要素1が入力オリフィス102および出力オリフィス103を通って処理デバイスのハウジング101を通過するように細長い要素1を駆動するシステム1001をさらに備える。駆動システム1001は、空洞内で電子チップを処理するために細長い要素1の電子チップを連続して空洞に入れることを可能にすることができる。装置1000は、細長い要素1の処理すべき電子チップ2eがハウジング101の空洞104内に存在し、処理すべき電子チップ2eに隣接する二つの電子チップ2f、2gがハウジング101の外側に配置される処理構成を備える。
【００５６】
この処理構成において、処理すべき電子チップ2eに隣接する二つの電子チップ2f、2gは、細長い要素1の連結要素3a、3bによって処理すべきチップ2eに電気的に連結することができ、絶縁システム106は、前記処理すべき電子チップ2eに連結された連結要素3a、3bに沿って伝播される処理プローブ105からの電磁波に作用するように構成される。この場合、処理すべき隣接する電子チップは、無線タグチップとすることができ、連結要素3a、3bは、処理すべき無線タグのアンテナおよび二つの隣接するチップのアンテナとすることができる。
【００５７】
有利には、この処理構成において、前記連結要素3a、3b(処理すべきチップ2eの両側に延びる)はそれぞれ、フェライトを通過する。したがって、これらのフェライトにより、連結要素3a、3bに沿って二つの隣接する電子チップの方へ伝播される処理プローブからの電磁波をフィルタリングして、これらの電子チップの起動または電力供給を誘発しないようにすることが可能になる。
【００５８】
別法として、またはこれらのフェライトの使用と組み合わせて、前記連結要素3a、3bは、特に前述したように、絶縁システム106の短絡要素に物理的に接触することができる。この短絡は、すでに上述した作用を誘発する。
【００５９】
さらに、この装置はまた、電子チップの容器1002ならびにアセンブリ機械1004に連結されたワイアの二つのスプール1003a、1003bを備えることができ、それにより前述したように、その出力1004aで細長い要素1を供給することが可能になる。たとえば、そのため、この装置は、欧州特許出願公開第2390194号の文献に記載されているように、ワイア上に電子チップを組み立てるためのデバイスを備えることができる。
【００６０】
最後に、ハウジング101の後に、装置1000は、細長い要素1のための巻き取りシステム1005を備えることができる。
【００６１】
さらに、本発明はまた、上述した処理デバイスを使用する方法に関する。そのような方法は、細長い要素1の長さに沿って互い違いに配置される複数の電子チップを備える細長い要素1を提供するステップと、空洞104内に配置された電子チップ2e(処理すべき電子チップ)に隣接する他の二つの電子チップ2f、2gがハウジング101の外側に配置されるように、複数の電子チップのうちの一つの電子チップ2eを処理デバイス101の空洞104内に配置するステップと、結果として処理プローブ105が空洞104内に配置された電子チップ2eと相互作用するように、空洞104内に配置された前記電子チップ2eを処理するために処理プローブ105を起動するステップとを含む。
【００６２】
特に、この装置の説明に関連して前述した内容から、上記配置するステップ中に空洞104内に配置された電子チップ2eおよびハウジング101の外側に配置された二つの隣接する電子チップ2f、2gは、無線タグ電子チップであると理解することができる。この場合、空洞104内に配置された電子チップ2eは、第1の電気連結要素3aによって隣接する電子チップの一方2fに電気的に連結され、第2の電気連結要素3bによって隣接する電子チップの他方2gに電気的に連結され、第1の電気連結要素3aおよび第2の電気連結要素3bは、空洞104内に配置された電子チップ2eのアンテナを形成する。したがって、この特定の場合、この方法は、絶縁システム106を第1の連結要素3aおよび第2の連結要素3bと相互作用させ、処理プローブ105の起動後に第1の連結要素3aおよび第2の連結要素3bに沿って伝播される電磁波をフィルタリングまたは短絡して、前記電磁波による前記二つの隣接する電子チップ2f、2gへの電力供給を回避することを可能にするステップを含む。
【００６３】
前述したように、ハウジング101(特に空洞104)は、処理プローブ105によって放出される電磁波を閉じ込めるように配置することができる。
【００６４】
概して、ハウジングは、遮蔽されており、細長い要素が入力オリフィス102と出力オリフィス103との間を通る方向に細長い矩形の形状を採用することができる。図4から6の例では、ハウジング101は金属であり、11×4×4cm3という寸法を採用する。概して、ハウジング101、特に空洞104の寸法は、処理プローブ105および処理すべきチップのタイプに応じて適合される。
【００６５】
好ましくは、細長い要素の電子チップが無線タグ電子チップである適用例では、処理プローブ105は、ハウジング101の空洞104内に配置され、それにより処理プローブ105のアンテナは、図1による細長い要素1の場合、数ミリメートルから約10センチメートルの距離だけ、ハウジング101内に存在する処理すべき電子チップから離れる。図2による細長い要素1の場合、処理プローブのアンテナを処理すべき電子チップから分離するこの距離は、数ミリメートル(たとえば、2mm)、特に0.1から5mmである。
【００６６】
本説明から、細長い要素が、
-  相互接続された有線UHF連結を使用する無線タグまたは通信デバイス、
-  相互接続されないがワイア/ケーブル/コードに沿って近距離に配置された有線UHF連結を使用する無線タグまたは通信デバイス、
-  タグ上に印刷されて電気的にともに接続された無線タグを備えるとき、処理デバイスを有利に使用することができることが理解されよう。
【００６７】
さらに、処理デバイスはまた、無線タグ電子チップ内にデータを書き込むことを可能にし、したがって無線タグ電子チップをオンデマンド式に機能化することを可能にすることができる。この処理の概念は、無線タグの機能の確認/無線タグ上でデータを書き込みまたは読み取って無線タグを独立して機能化すること、チップのメモリ上へのデータの入力、チップとの対話などを可能にすることができる限り、広い意味で捉えられるべきである。実際に、概略的な処理機能による使用について、デバイス、装置、および方法に関連して上記で説明した。好ましくは、たとえばチップと相互作用してチップを試験することを可能にする試験機能を考慮することができる。これに関して、本発明に関連する本説明では、「処理」という単語の記載は、「試験」という単語に置き換えることができ、「処理する」という動詞の記載は、「試験する」という動詞に置き換えることができ、「処理される」という用語の記載は、「試験される」という用語に置き換えることができる。
【００６８】
概して、ハウジング101の空洞104内の前記処理プローブによる電磁波の放出を可能にするために、処理プローブ(特に、処理プローブのアンテナ)にリーダを連結することができる。本説明では、「波」という用語の使用自体が、特にこれらの電磁波を指す。
【００６９】
図11は、処理デバイスを使用しないで細長い要素の003で識別される無線タグ上で実施される試験に対する後方散乱電力を、アンテナによって伝送される電力の関数として示す。細長い要素はまた、無線タグ001、002、003、004、005を連続して備え、これらの無線タグの応答曲線も図11に表されている。図示のように、処理プローブからの電磁波は、ハウジング内に閉じ込められておらず、約20dBmの伝送電力を必要とする。図11の分析から、無線タグ003の試験はまた、他の無線タグの起動も誘発することが明らかである。比較のため、図12は、処理デバイスを使用した場合の後方散乱電力を、アンテナによって伝送される電力の関数として示し、処理デバイスの絶縁システムは、フェライトを備え、無線タグ003は、ハウジングの空洞内に存在し、他の無線タグ001、002、004、005は、ハウジングの外側に位置する。図12の分析から、処理プローブの電力の制御により、無線タグ003のみが処理プローブによって対処されるのを確実にすることが可能であることが明らかになる。さらに、電磁波が空洞内に閉じ込められることから、ハウジングを使用した状態で無線タグを起動するために必要とされる電力は、これも図示のように、ハウジングを使用しない場合の電力より小さい。したがって、概して、空洞4の内面は、処理プローブによって放出される電磁波に対して反射性とすることができ、これは、ハウジングが金属によって形成されるときに実施することが可能である。これに関して、上述した処理デバイスにより、処理プローブに連結されたリーダに対して広い範囲の放出電力を使用することが可能になり、試験中の無線タグ(この例では003)とハウジングの外側の他の無線タグ(この例では001、002、004、005)との間で再放射される電力の差が大きくなればなるほど、反射されるエネルギーの影響を受けにくくなる。
【００７０】
したがって、本説明から、(特に、無線タグ試験に関連して)ハウジングは、処理プローブによって生成される電磁波がハウジングの外へ伝播するのを閉じ込めまたは制限するように構成することができることが理解されよう。そのため、ハウジングによって形成される空洞により、処理プローブによって直接放出される電磁波がハウジングの外へ伝播するのを回避することが可能になる。「遮蔽されたハウジング」という用語は、特にこの閉じ込め機能に対して使用される。したがって、ハウジングは、金属で形成することができ、その特徴は、当業者であればその機能を確実にするように選択することができる。さらに、処理プローブによる電磁波の放出の結果、前記電磁波が空洞内の細長い要素(特に導電性連結要素)に結合するが、絶縁システムにより、前記電磁波が伝播してハウジングの外側の細長い要素に結合されるのを防止または制限することが可能になる。
【００７１】
図14に示す装置の変形形態によれば、この装置は、上述した少なくとも二つの処理デバイス100a、100bを備えることができる。図10から抜粋した図14で使用される参照符号は、同じタイプの要素を表す。電子チップの処理のために、前記処理中の細長い要素の進行を減速または停止させる必要があるとき、いくつかの処理デバイスを使用することで、処理を並行して実行し、全体的な細長い要素の処理速度を増大させることが可能になる。別の例では、第1のデバイス100aにより、細長い要素のチップを試験することが可能になり、第2のデバイス100bにより、デバイス100aによって機能的であるとすでに試験されたチップ上にデータを書き込むことが可能になる。
【図１】
2018524742.tif 000003
【図２】
2018524742.tif 000004
【図３】
2018524742.tif 000005
【図４】
2018524742.tif 000006
【図５】
2018524742.tif 000007
【図６】
2018524742.tif 000008
【図７】
2018524742.tif 000009
【図８】
2018524742.tif 000010
【図９】
2018524742.tif 000011
【図１０】
2018524742.tif 000012
【図１１】
2018524742.tif 000013
【図１２】
2018524742.tif 000014
【図１３】
2018524742.tif 000015
【図１４】
2018524742.tif 000016
【国際調査報告】
2018524742.tif 000017
2018524742.tif 000018
2018524742.tif 000019
2018524742.tif 000020
2018524742.tif 000021